(57)【要約】【課題】組み立て作業性に優れた遊技台の基板収納ケースを提供する。【解決手段】基板収納ケース５００ は、前面カバー５０１、背面カバー５０２、主制御基板５０３、及び溶解接合体５０４で構成される。前面カバー５０１及び背面カバー５０２の内側の外周にはそれぞれ、棒状の溶解接合体５０４を配置するための溝が設けられている。溶解接合体５０４を溝に配置後、前面カバー５０１及び背面カバー５０２を組み合わせて、溶解接合体５０４を溶解させると、前面カバー５０１及び背面カバー５０２は一体として接合されるようになっている。具体的には、溶解接合体５０４は、電熱線５０６を熱可塑性樹脂５０５の内部に埋設しており、電熱線５０６に通電することにより、電熱線５０６が発熱し、これにより、熱可塑性樹脂５０６が溶解する。【選択図】図６
2006167339.tif 000002
【特許請求の範囲】
【請求項１】
内部空間に電子部品を実装した基板を収納し、第１のカバー部材と第２のカバー部材とに分離可能に構成された遊技台の基板収納ケースであって、
前記第１のカバー部材と前記第２のカバー部材の接合部は、
電流が流れることにより、熱を発生させる電熱発生手段と、
前記電熱発生手段の発熱により溶解し、前記第１のカバー部材と第２のカバー部材を接着固定する接着固定手段と、
を有することを特徴とする遊技台の基板収納ケース。
【請求項２】
前記電熱発生手段は、外部電源と接続可能な電気回路から構成され、
前記電気回路は、電熱線、及び該電熱線に流れる電流を遮断する回路遮断部を備えることを特徴とする請求項１記載の遊技台の基板収納ケース。
【請求項３】
前記電熱線は、前記接着固定手段により被覆されていることを特徴とする請求項２記載の遊技台の基板収納ケース。
【請求項４】
前記電熱発生手段の外部電源との接続部位は、通電端子部が設けられていることを特徴とする請求項２又は３記載の遊技台の基板収納ケース。
【請求項５】
前記回路遮断部は、過電流により、自己発熱して溶断する電流ヒューズであることを特徴とする請求項２乃至４のいずれか１項に記載の遊技台の基板収納ケース。
【請求項６】
前記電流ヒューズは、前記接着固定手段の融点より高い温度で溶断することを特徴とする請求項５記載の遊技台の基板収納ケース。
【請求項７】
前記第１のカバー部材及び前記第２のカバー部材の少なくともいずれか一方の接合部は、凹設された溝を備え、前記電熱発生手段及び前記接着固定手段が配置されていることを特徴とする請求項１乃至６のいずれか１項に記載の遊技台の基板収納ケース。
【請求項８】
前記接着固定手段は、少なくとも２色の熱可塑性樹脂からなることを特徴とする請求項１乃至７のいずれか１項に記載の遊技台の基板収納ケース。
【請求項９】
請求項４記載の遊技台の基板収納ケースに電気を供給する電気供給装置であって、
前記遊技台の基板収納ケースを定まった位置に配置固定する配置固定台と、
配置固定された遊技台の基板収納ケースの通電端子部が接触する電源供給端子部と、
前記電源供給端子部を介して前記電熱発生手段に電気を供給する電気供給部と、
を有することを特徴とする電気供給装置。
【請求項１０】
内部空間に電子部品を実装した基板を収納し、第１のカバー部材と第２のカバー部材とに分離可能に構成された遊技台の基板収納ケースの組み立て方法であって、
前記第１のカバー部材と前記第２のカバー部材の接合部に、電熱線及び電流ヒューズを備える電気回路と、該電熱線と接した熱可塑性樹脂を配置し、
外部電源を介して前記電気回路に電流を流し、熱を発生させ、
発生した熱により前記熱可塑性樹脂を溶解し、前記第１のカバー部材と第２のカバー部材を接着固定し、
前記電流ヒューズの溶断により前記電気回路への電流を遮断する
ことを特徴とする遊技台の基板収納ケースの組み立て方法。
【請求項１１】
複数種類の絵柄が施され、回転可能な複数のリールと、
前記複数のリールの回転を開始させるスタートスイッチと、
前記複数のリールそれぞれに対応して設けられ、前記複数のリールの回転を個別に停止する停止スイッチと、
予め定められた複数種類の入賞役の内部当選の当否を抽選により判定する抽選手段と、
停止時の前記複数のリールにより表示された図柄の組み合わせが、内部当選した入賞役であるか否かに基づいて入賞を判定する判定手段と、
を有する遊技台において、
前記遊技台の基板収納ケースは、内部空間に電子部品を実装した基板を収納し、第１のカバー部材と第２のカバー部材とに分離可能に構成されており、
前記第１のカバー部材と前記第２のカバー部材の接合部は、
電流が流れることにより、熱を発生させる電熱発生手段と、
前記電熱発生手段の発熱により溶解し、前記第１のカバー部材と第２のカバー部材を接着固定する接着固定手段と、
を備えることを特徴とする遊技台。
【発明の詳細な説明】
【技術分野】
【０００１】
本発明は、遊技台の基板を収納する遊技台の基板収納ケース、該基板収納ケースに電気を供給する電気供給装置、該基板収納ケースの組み立て方法、該基板収納ケースを備える遊技台に関する。
【背景技術】
【０００２】
スロットマシン等の遊技台は、内部抽選や入賞制御をマイクロコンピュータにより制御している。そのため、マイクロコンピュータへの不正が行われないように、マイクロコンピュータが実装されている制御基板は、封印構造を備える基板収納ケースで覆うことにしている。
【０００３】
一般に、遊技台の基板収納ケースは、遊技台側に取り付けられるベースと、ベースに取り付けられるカバーとで構成され、遊技台の制御基板は、ベース及びカバーの間に形成される空間内に収納されるようになっている。例えば、下記の特許文献１には、カバー側から差し込まれ、ベースに爪を係合させることでベースからカバーが分離されることを防止する封印部材と、ベース側から差し込まれ、封印部材の爪に当接することにより爪を変形させることでベースに対する係合を強化する封印補強部材とを備え、制御基板を封印する基板基板収納ケースが開示されている。
【０００４】
【特許文献１】特開２００１−０７０５１１号公報
【発明の開示】
【発明が解決しようとする課題】
【０００５】
しかしながら、上述した封印部材と封印補強部材を用いた封印構造においては、組み立て時に封印部材と封印補強部材などの複数の部品を複数の挿入部に取り付けなければならず、人的に依存する作業工程となるため、量産性に優れているとは言い難いという問題がある。
【０００６】
本発明は上記の事情を鑑みてなされたものであり、組み立て作業性に優れた遊技台の基板収納ケース、該基板収納ケースに電気を供給する電気供給装置、該基板収納ケースの組み立て方法、該基板収納ケースを備える遊技台を提供することを目的とする。
【課題を解決するための手段】
【０００７】
上記目的を達成するため、本発明に係る遊技台は、次のように構成される。
【０００８】
本発明に係る遊技台は、内部空間に電子部品を実装した基板を収納し、第１のカバー部材と第２のカバー部材とに分離可能に構成された遊技台の基板収納ケースであって、前記第１のカバー部材と前記第２のカバー部材の接合部は、電流が流れることにより、熱を発生させる電熱発生手段と、前記電熱発生手段の発熱により溶解し、前記第１のカバー部材と第２のカバー部材を接着固定する接着固定手段と、を有することを基本的構成とする。
【０００９】
ここで、「電熱発生手段」及び「接着固定手段」は、物理的に別の素材として構成されてもよいし、両手段の機能が同一の素材として混在するように構成されていてもよい。
【００１０】
本発明に係る遊技台によれば、遊技台の基板収納ケースの第１のカバー部材と第２のカバー部材の接合部に通電して熱を発生させて、接着固定手段を溶解させ、第１のカバー部材と第２のカバー部材を接着固定するので、組み立て作業性に優れた遊技台の基板収納ケースを提供することができる。
【００１１】
一例として、前記電熱発生手段は、外部電源と接続可能な電気回路から構成され、前記電気回路は、電熱線、及び該電熱線に流れる電流を遮断する回路遮断部を備えることを特徴とする。
【００１２】
この場合、前記電熱線は、前記接着固定手段により被覆されていてもよい。
【００１３】
また、前記電熱発生手段の外部電源との接続部位は、通電端子部が設けられていることが好ましい。
【００１４】
また、一例として、前記回路遮断部は、過電流により、自己発熱して溶断する電流ヒューズであることを特徴とする。
【００１５】
この場合、前記電流ヒューズは、前記接着固定手段の融点より高い温度で溶断することが好ましい。
【００１６】
また、一例として、前記第１のカバー部材及び前記第２のカバー部材の少なくともいずれか一方の接合部は、凹設された溝を備え、前記電熱発生手段及び前記接着固定手段が配置されていることを特徴とする。
【００１７】
また、一例として、前記接着固定手段は、少なくとも２色の熱可塑性樹脂からなることを特徴とする。
【００１８】
また、本発明に係る電気供給装置は、次のように構成される。
【００１９】
本発明に係る電気供給装置は、遊技台の基板収納ケースに電気を供給する電気供給装置であって、前記遊技台の基板収納ケースを定まった位置に配置固定する配置固定台と、配置固定された遊技台の基板収納ケースの通電端子部が接触する電源供給端子部と、前記電源供給端子部を介して前記電熱発生手段に電気を供給する電気供給部と、を有することを特徴とする。
【００２０】
また、本発明に係る遊技台の基板収納ケースの組み立て方法は、次のように構成される。
【００２１】
本発明に係る遊技台の基板収納ケースの組み立て方法は、内部空間に電子部品を実装した基板を収納し、第１のカバー部材と第２のカバー部材とに分離可能に構成された遊技台の基板収納ケースの組み立て方法であって、前記第１のカバー部材と前記第２のカバー部材の接合部に、電熱線及び電流ヒューズを備える電気回路と、該電熱線と接した熱可塑性樹脂を配置し、外部電源を介して前記電気回路に電流を流し、熱を発生させ、発生した熱により前記熱可塑性樹脂を溶解し、前記第１のカバー部材と第２のカバー部材を接着固定し、前記電流ヒューズの溶断により前記電気回路への電流を遮断することを特徴とする。
【００２２】
さらに、本発明に係る遊技台は、次のように構成される。
【００２３】
本発明に係る遊技台は、複数種類の絵柄が施され、回転可能な複数のリールと、前記複数のリールの回転を開始させるスタートスイッチと、前記複数のリールそれぞれに対応して設けられ、前記複数のリールの回転を個別に停止する停止スイッチと、予め定められた複数種類の入賞役の内部当選の当否を抽選により判定する抽選手段と、停止時の前記複数のリールにより表示された図柄の組み合わせが、内部当選した入賞役であるか否かに基づいて入賞を判定する判定手段と、を有する遊技台において、前記遊技台の基板収納ケースは、内部空間に電子部品を実装した基板を収納し、第１のカバー部材と第２のカバー部材とに分離可能に構成されており、前記第１のカバー部材と前記第２のカバー部材の接合部は、電流が流れることにより、熱を発生させる電熱発生手段と、前記電熱発生手段の発熱により溶解し、前記第１のカバー部材と第２のカバー部材を接着固定する接着固定手段と、を備えることを特徴とする。
【発明の効果】
【００２４】
本発明によれば、組み立て作業性に優れた遊技台の基板収納ケース、該基板収納ケースに電気を供給する電気供給装置、該基板収納ケースの組み立て方法、該基板収納ケースを備える遊技台を提供することができる。
【発明を実施するための最良の形態】
【００２５】
以下、本発明の実施の形態について図面を用いて説明する。
【００２６】
＜第１実施形態＞
＜全体構成＞
図１は、本発明の一実施形態に係るスロットマシン１００の外観斜視図である。スロットマシン１００は、メダルの投入により遊技が開始され、遊技の結果によりメダルが払い出されるものである。
【００２７】
図１に示すように、スロットマシン１００の中央内部には、外周面に複数種類の絵柄（「７」、「Ｂａｒ」、「ベル」、「リプレイ」等：図示省略） を配列した円筒状のリールが３個（左リール１１０、中リール１１１、右リール１１２）収納され、本体２０１の内部で回転できるように構成されている。本体２０１の両サイドには、取手部２０１ｃが設けられ、スロットマシン１００の運搬の際に利用される。本体内部の説明に関しては後述する。
【００２８】
前面扉１０１には、リール表示窓１１３が設けられており、リール１１０乃至１１２を正面から眺めると、これに施された絵柄がリール表示窓１１３から縦方向に３つ見えるようになっている。つまり、全リール１１０乃至１１２が停止した場合、遊技者は、３×３の合計９個の絵柄を見ることができる。これらのリール１１０乃至１１２が回転し、停止することにより、様々な絵柄の組み合せが表示されることになる。なお、本実施形態では、３個のリールを備えているが、リールの数やリールの設置位置はこれに限定されるものではない。
【００２９】
各リール１１０乃至１１２の裏側には、リール表示窓１１３上に表示される個々の絵柄を照らすためのバックライト（図示せず）が配置されている。バックライトは、例えば、７色（赤、緑、青紫の三原色と、白色等をはじめとするこれらの混合色）の光を発することが可能であり、各原色に対応したＬＥＤ等を含んで構成される。
【００３０】
入賞ライン表示ランプ１２０は、遊技毎に有効となる入賞ライン１１４を示すランプである。有効となる入賞ライン１１４ は、スロットマシン１００ に投入された遊技媒体（本実施形態ではメダルを想定する。）の枚数によって変化する。例えば、図１に示すように５本の入賞ライン１１４を有する場合、メダルを１枚投入したときは中段の水平入賞ライン、２枚投入したときは、上段の水平入賞ラインおよび下段の水平入賞ラインを加えた３つの入賞ライン、３枚投入したときは更に２本の斜めの入賞ラインを加えた５ラインが有効となり、有効な入賞ライン１１４上に揃った絵柄の組み合せにより入賞が判断されることとなる。勿論、入賞ラインの数は５本に限定されるものではない。
【００３１】
スタートランプ１２１は、リール１１０乃至１１２が回転することができる状態にあることを遊技者に知らせるランプである。再遊技ランプ１２２は、入賞役である再遊技に入賞したとき（例えば、リプレイ−リプレイ−リプレイの再遊技絵柄の組み合せが入賞ライン１１４上に揃ったとき）、遊技者へ次の遊技が再遊技であることを知らせるランプである。再遊技の場合、次遊技において遊技媒体であるメダルの投入が免除される。告知ランプ１ ２３は、特別な入賞役（例えば、ビッグボーナス（ＢＢ）やレギュラーボーナス（ＲＢ）） に内部当選した状態にあることを遊技者に報知するランプである。メダル投入ランプ１２ ４は、遊技開始にあたって遊技者にメダルの投入が必要であることを報知するランプである。メダル投入枚数表示ランプ１２５は、遊技者が投入したメダル枚数を表示するランプである。本実施形態では、１回の遊技に最大３枚までメダル投入できるので、縦に配置した３つのランプを用いてメダル投入枚数を表示している。無論、ランプで表示する他に７セグメント表示器等で直接メダル投入枚数を表示してもよい。
【００３２】
払出枚数表示器１２６は、メダルの払い出しのある何らかの入賞役に入賞したとき、遊技者へ払い出されるメダルの枚数を表示する表示器である。遊技回数表示器１２７は、ビッグボーナスゲーム中の一般ゲームの回数等を表示する表示器である。貯留枚数表示器１ ２８は、電子的に貯留（クレジット）しているメダルの枚数を表示する表示器である。演出用ランプ１２９は、遊技の興趣を高めるための演出に使用されるランプである。
【００３３】
メダル投入ボタン１３１、１３２は、貯留されたメダルをスロットマシン１００へ電子的に投入するための投入ボタンであり、いわゆるベットボタンと呼ばれているものである。本実施形態では、最大メダル投入ボタン１３１（いわゆるマックスベットボタン）と、１回押下するごとに１枚のメダルを投入する１枚メダル投入ボタン１３２（いわゆるワンベットボタン）とを有し、これらのボタンのいずれかを押下することにより遊技に必要な１〜３枚のメダルがスロットマシン１００へ電子的に投入される。２枚のメダルを投入する場合は、１枚メダル投入ボタン１３１を２回押下することとなる。投入されたメダル枚数分は、現在の貯留枚数から減算されて残枚数が貯留枚数表示器１２８に表示される。
【００３４】
メダル投入口ブロック１３３は、遊技を開始するに当たって遊技者が直接メダルを投入するための開口を有する。メダルを直接投入した際に、メダル投入口直下にあるメダルセレクターユニット（図示せず）内にメダルが詰まってしまった場合は、メダルキャンセルスイッチ１３４ａを操作することによってメダルのつまりを解消させる。スタートレバー１３５は、遊技の開始操作として、リール１１０〜１１２の回転を開始させるレバー型のスイッチである。
【００３５】
ストップボタンユニット１３６には、３つのストップボタンが設けられている。各ストップボタンは、押下することによって対応するリール１１０乃至１１２を停止させるボタン型のスイッチである。各ストップボタンの内部にはランプ（図示せず）が設けられており、スタートレバー１３５が操作された後、リール１１０乃至１１２の停止操作が可能な状態になると全ランプが点灯し、遊技者に停止操作が可能になったことを報知する。各ストップボタンのランプは各ストップボタンが押下される毎に消灯する。無論、停止操作可能な状態とその他の状態とでランプの発光色を変化させるように構成することもできる。
【００３６】
精算ボタン１３８は、遊技者が獲得したメダルを精算して排出する精算処理を行う場合に押下されるボタンである。なお、精算ボタン１３８は、遊技者がメダル投入口ブロック１３３から投入したメダルのうち所定枚数（例えば３枚）以上のメダルまたは入賞により獲得したメダルを最大５０枚まで貯留するか否かを切換える場合にも使用され、例えば、一回精算ボタン押下されて精算処理が行われると、非貯留モードが設定され、もう一度精算ボタン押下されると、貯留モードが設定される。ここに、メダルの貯留とは、メダルを直接払い出さずに、電子的にその枚数を後述する制御部に一時記憶しておくことを意味する。
【００３７】
キー孔１３９は、扉開閉用のキーを差し込む孔で、キーを差し込んで時計方向に回すとロックが解除され、スロットマシン１００の前面扉１０１を開けることができる。タイトルパネル１４０は、そのスロットマシンの機種名や各種のデザインが描かれるパネルである。メダル排出口１６５は、メダルを排出するための開口であり、入賞時に払い出されるメダルはここから排出される。排出されたメダルは、受皿１６０に溜まるようになっている。
【００３８】
上部ランプ１９０、サイドランプ１５１及び１５２、中央ランプ１５３及び１５４、腰部ランプ１５５及び１５６、下部ランプ１５７及び１５８は、遊技を盛り上げるための演出用のランプであり、遊技状態に応じて点灯／消灯／点滅する。本実施形態では、受皿１６０を透光性材料で構成し、受皿取り付け面からランプ光を入射させることで上記演出用のランプと同様の効果を発揮させるように構成している。また、受皿１６０には、着脱可能に構成した灰皿ユニット１７０が設けられている。
【００３９】
ドットマトリクスＬＥＤ 表示装置１８０は、複数のＬＥＤを２次元に配置した表示装置であり、遊技に関する各種の情報（ゲームを盛り上げるためキャラクター等を登場させるゲーム画面、スロットマシンの内部で異常が発生した場合にエラーの内容を表示するエラー画面など）を表示することができる。ドットマトリクスＬＥＤ表示装置１８０に代えて、演出用のリールを装備してもよい。演出用のリールは、リール１１０〜１１２に対応させて３つ設けるようにしてもよい。
【００４０】
上部ランプ１９０の近傍の左右にスピーカの音孔（図示せず）を設けている。また、ストップボタンユニット１３６の直下に背面スピーカからの効果音を出力するための音孔が設けられている。背面スピーカの音孔には、装飾が施されたスピーカカバー１７３が装着され、ここから遊技の効果音が出力される。
【００４１】
＜本体内部構造＞
次に、本実施形態のスロットマシン１００の内部構成について説明する。
【００４２】
図２は、前面扉１０１を開いた状態（前面扉１０１は図示省略）にあるスロットマシン１００の正面図であり、スロットマシン１００の内部構成を示す図である。
【００４３】
図２に示すように、本体２０１は、キャビネット２１０内に、基板収納ケース５００、リールユニット２２０、電源ユニット２３０、メダル払出装置２４０、補助収納ケース２５０、中央スピーカユニット２６０、副制御基板２７０、外部中継端子板２９０等が配設されている。
【００４４】
キャビネット２１０は、上部に排気口２１０ａと下部に吸気口２１０ｂを有する木製の箱体である。キャビネット２１０内壁には、右側、左側、背面の各壁面にフレームグラウンド板２１２乃至２１６が設けられている。フレームグラウンド板２１２乃至２１６は、互いに電気的に接続され、キャビネット２１０内に配設された各装置のフレームグラウンドが接続される。これにより各装置のフレームグラウンドを同電位にするのと同時に、キャビネット内の各装置を静電気や電波と言った外部ノイズから保護することができる。キャビネット２１０内には、リールユニット２２０を在置するためのリールユニット固定板２１８が設けられている。リールユニット固定板２１８もフレームグウランド板２１２乃至２１６に電気的に接続されている。
【００４５】
リールユニット２２０は、樹脂製のケース内にステッピングモータで駆動されるリール１１０乃至１１２を個別に着脱可能に取り付けられている。樹脂ケースの上面には、他の制御部と接続するための中継基板２９０が装着されている。リールユニット２２０は、樹脂ケースで３本のリールをユニット化し、着脱を容易に行えるように構成している。
【００４６】
基板収納ケース５００は、キャビネット２１０内の背面上部に取り付けられている透明な樹脂ケースで、内部空間にスロットマシン１００の全体的な制御を行う主制御部３００を構成する電気部品を実装した主制御基板５０３を収納している。基板収納ケース５００の詳細については後述する。
【００４７】
電源ボックス２３０は、キャビネット２１０の背面の壁面に装着された金属製のケース内にスロットマシン１００の各駆動部や制御部へ必要な電力を供給するための電源基板（図示せず）を収納している。また、電源ボックス２３０の電源スイッチ２３２、すなわちスロットマシン１００の電源スイッチ２３２は、本実施形態ではリールユニット固定板２１８の下部に別体で固定されている。電源スイッチ２３２と併せて設定値変更許可スイッチ２３４も併設されている。これは、各スイッチが操作し易いよう配慮してのことである。
【００４８】
設定値変更許可スイッチ２３４ は、いわゆるキースイッチであり、キー孔に所定のキーを挿入して、時計回りに９０度回転させるとオン状態となり、キーを戻して初期状態にするとオフ状態になる。電源スイッチ２３２は、つまみを上に向けると、オン状態になり、つまみを戻すとオフ状態になる。また、電源ボックス２３０の上端部には、コネクタを接続可能な受け口（図示せず）が複数個設けられている。受け口から接続ケーブルを介して、電力を各部に供給する。
【００４９】
また、キャビネット２１０の背面壁には、電源ボックス２３０とほぼ同形の通気孔が、キャビネット２１０の背面を貫通するように形成されている。更に、電源ボックス２３０ の通気孔に対応する背面は、電源ボックス２３０の内部で発生した熱を外部へ効率よく排出できるような部材（本実施形態ではパンチメタル）で構成されている。
【００５０】
メダル払出装置２４０は、メダルを払い出すための装置（いわゆるホッパー）である。メダル払出装置２４０は、ＤＣモーターで駆動されメダルを１枚ずつ払い出すとともにメダルを払い出す毎に検出信号を出力する払出装置本体と、払出装置本体にメダルを供給するとともにメダルを蓄積するタンクとで構成されている。メダル払出装置２４０の横には、補助収納ケース２５０が置かれている。メダル払出装置２４０がメダルでいっぱいになると、余分なメダルは流れ落ち、補助収納ケース２５０内に蓄積される。
【００５１】
また、メダル払出装置２４０は、キャビネット２１０の底部に装着されたレール板上にスライド可能に設置されている。レール板のキャビネット２１０背面壁側にはコネクタが設けられている。コネクタには、メダル払出装置２４０に対する電力の供給や制御信号の送受信を目的としたケーブルが接続される。メダル払出装置２４０の背面には、このコネクタに接続可能なコネクタが配設されている。メダル払出装置２４０は、レール板の上を前後方向にスライドさせることが可能で、メダル払出装置２４０をレール板に沿って奥まで押し込むと、メダル払出装置２４０のコネクタがレール板のコネクタに接続されるようになっている。
【００５２】
背面スピーカユニット２６０は、キャビネット２１０の背面壁に設けられたスピーカと、スピーカからの効果音を前面扉１０１のスピーカカバー１７３まで案内するためのスピーカダクトとで構成されている。スピーカから出力される中低音は、スロットマシン１００の背面から出力されるとともにスピーカダクトを介してスピーカカバー１７３からも出力される。
【００５３】
副制御基板２７０は、キャビネット２１０の側面に装着され、効果音、演出用ランプ、リールバックランプ、演出表示部等で実行される演出を制御する副制御部４００を構成する電気部品を実装した制御基板である。副制御基板２７０は、後述の基板収納ケースに収納された主制御基板５０３の送信する制御コマンドに従って演出を制御する。
【００５４】
外部集中端子板２９０は、スロットマシン１００から出力される遊技情報をホールコンピュータに送信するためのインターフェース基板である。外部集中端子板２９０から出力される遊技情報は、ホールコンピュータに送られて集計される。
【００５５】
＜制御部＞
次に、図３及び図４を参照して、スロットマシン１００の制御部の回路構成について詳細に説明する。スロットマシン１００の制御部は、大別すると、遊技の中枢部分を制御する主制御部３００と、主制御部３００より送信された制御コマンド（以下、コマンドと略称）に応じて各種機器を制御する副制御部４００と、から構成されている。
【００５６】
＜主制御部＞
まず、図３を参照して、スロットマシン１００の主制御部３００について説明する。主制御部３００は、主制御部３００の全体を制御するための演算処理装置であるＣＰＵ３１０や、ＣＰＵ３１０が各ＩＣや各回路と信号の送受信を行うためのデータバス及びアドレスバスを備え、その他、以下に述べる構成を有する。クロック補正回路３１４は、水晶発振器３１１から発振されたクロックを分周してＣＰＵ３１０に供給する回路である。例えば、水晶発振器３１１の周波数が１２ＭＨｚの場合に、分周後のクロックは６ＭＨｚとなる。ＣＰＵ３１０は、クロック補正回路３１４により分周されたクロックをシステムクロックとして受け入れて動作する。
【００５７】
また、ＣＰＵ３１０には、後述するセンサやスイッチの状態を常時監視するためのタイマ割り込み処理の周期やモータの駆動パルスの送信周期を設定するためのタイマ回路３１５がバスを介して接続されている。ＣＰＵ３１０は、電源が投入されると、データバスを介してＲＯＭ３１２の所定エリアに格納された分周用のデータをタイマ回路３１５に送信する。タイマ回路３１５は、受信した分周用のデータを基に割り込み時間を決定し、この割り込み時間ごとに、割り込み要求をＣＰＵ３１０に送信する。ＣＰＵ３１０は、この割込み要求を契機に、各センサ等の監視や駆動パルスの送信を実行する。例えば、ＣＰＵ３１０のシステムクロックを６ＭＨｚ、タイマ回路３１５の分周値を１／２５６、ＲＯＭ３１２の分周用のデータを４４に設定した場合、この割り込みの基準時間は、２５６×４４÷６ＭＨｚ＝１．８７７ｍｓとなる。
【００５８】
また、ＣＰＵ３１０には、各ＩＣを制御するためのプログラム、入賞役の内部抽選時に用いる抽選データ、リールの停止位置等の各種データを記憶しているＲＯＭ３１２や、一時的なデータを保存するためのＲＡＭ３１３が接続されている。これらのＲＯＭ３１２やＲＡＭ３１３については他の記憶手段を用いてもよく、この点は後述する副制御部４００においても同様である。また、ＣＰＵ３１０には、外部の信号を受信するための入力インタフェース３６０が接続され、割込み時間ごとに入力インタフェース３６０を介して、メダル投入センサ３２０、スタートレバーセンサ３２１、ストップボタンセンサ３２２、メダル投入ボタンセンサ３２３、精算／貯留スイッチ３２４、メダル払い出しセンサ３２６の状態を検出し、各センサを監視している。
【００５９】
メダル投入センサ３２０は、メダル投入口に投入されたメダルを検知するセンサである。スタートレバーセンサ３２１はスタートレバー１３５の操作を検知するためのセンサである。ストップボタンセンサ３２２はストップボタンユニット１３６のいずれかのストップボタンが押された場合、どのストップボタンが押されたかを検知するためのセンサである。メダル投入ボタンセンサ３２３はメダル投入ボタン１３１及び１３２のいずれかが押下された場合、どのメダル投入ボタンが押されたかを検知するためのセンサである。精算／貯留スイッチ３２４は、精算ボタン１３８が一回押されると、精算可能なメダルが払い出されることになる。メダル払い出しセンサ３２６は、払い出されるメダルを検知するためのセンサである。
【００６０】
ＣＰＵ３１０には、さらに、入力インタフェース３６１、出力インタフェース３７０、３７１がアドレスデコード回路３５０を介してアドレスバスに接続されている。ＣＰＵ３１０は、これらのインタフェースを介して外部のデバイスと信号の送受信を行っている。入力インタフェース３６１には、インデックスセンサ３２５が接続されている。インデックスセンサ３２５は、各リール１１０乃至１１２の取付台の所定位置に設置されており、リールに設けた遮光片がこのインデックスセンサ３２５を通過するたびにＨレベルになる。ＣＰＵ３１０は、この信号を検出すると、リールが１回転したものと判断し、リールの回転位置情報をゼロにリセットする。出力インタフェース３７０には、リールを駆動させるためのモータを制御するリールモータ駆動部３３０と、メダル払出装置２５０のモータを駆動するためのホッパーモータ駆動部３３１と、遊技ランプ３４０（具体的には、入賞ライン表示ランプ１２０、スタートランプ１２１、再遊技ランプ１２２、告知ランプ１２３、メダル投入ランプ１２４等）と、７セグメント（ＳＥＧ）表示器３４１（払出枚数表示器１２６、遊技回数表示器１２７、貯留枚数表示器１２８等）が接続されている。
【００６１】
また、ＣＰＵ３１０には、乱数発生回路３１７がデータバスを介して接続されている。乱数発生回路３１７は、水晶発振器３１１及び水晶発振器３１６から発振されるクロックに基づいて、一定の範囲内で値をインクリメントし、そのカウント値をＣＰＵ３１０に出力することのできるインクリメントカウンタであり、入賞役の内部抽選をはじめ各種抽選処理に使用される。本発実施形態における乱数発生回路３１７は、２つの乱数カウンタを備えている。ＣＰＵ３１０のデータバスには、副制御部４００にコマンドを送信するための出力インタフェース３７１が接続されている。主制御部３００と副制御部４００との情報通信は一方方向の通信であり、主制御部３００は副制御部４００へコマンドを送信するが、副制御部４００から主制御部３００へ何らかのコマンド等を送信することはできない。
【００６２】
＜副制御部＞
次に、図４を参照して、スロットマシン１００の副制御部４００について説明する。副制御部４００は、主制御部３００より送信された主制御コマンド等に基づいて副制御部４００の全体を制御する演算処理装置であるＣＰＵ４１０や、ＣＰＵ４１０が各ＩＣ、各回路と信号の送受信を行うためのデータバス及びアドレスバスを備え、以下に述べる構成を有する。クロック補正回路４１４は、水晶発振器４１１から発振されたクロックを補正し、補正後のクロックをシステムクロックとしてＣＰＵ４１０に供給する回路である。また、ＣＰＵ４１０にはタイマ回路４１５がバスを介して接続されている。ＣＰＵ４１０は、所定のタイミングでデータバスを介してＲＯＭ４１２の所定エリアに格納された分周用のデータをタイマ回路４１５に送信する。タイマ回路４１５は、受信した分周用のデータを基に割り込み時間を決定し、この割り込み時間ごとに、割り込み要求をＣＰＵ４１０に送信する。ＣＰＵ４１０は、この割込み要求のタイミングをもとに、各ＩＣや各回路を制御する。
【００６３】
また、ＣＰＵ４１０には、副制御部４００の全体を制御するための命令及びデータ、バックライトの点灯パターンや各種表示器を制御するためのデータが記憶されたＲＯＭ４１２や、データ等を一時的に保存するためのＲＡＭ４１３が各バスを介して接続されている。また、ＣＰＵ４１０には、外部の信号を送受信するための入出力インタフェース４６０が接続されており、入出力インタフェース４６０には、各リール１１０乃至１１２の絵柄を背面より照明するためのバックライト４２０、前面扉１０１の開閉を検出するための扉センサ４２１、ＲＡＭ４１３のデータをクリアにするためのリセットスイッチ４２２が接続されている。
【００６４】
ＣＰＵ４１０には、データバスを介して主制御部３００から主制御コマンドを受信するための入力インタフェース４６１が接続されており、入力インタフェース４６１を介して受信したコマンドに基づいて、遊技全体を盛り上げる演出処理等が実行される。また、ＣＰＵ４１０のデータバスとアドレスバスには、音源ＩＣ４８０が接続されている。音源ＩＣ４８０は、ＣＰＵ４１０からの命令に応じて音声の制御を行う。また、音源ＩＣ４８０には、音声データが記憶されたＲＯＭ４８１が接続されており、音源ＩＣ４８０は、ＲＯＭ４８１から取得した音声データをアンプ４８２で増幅させてスピーカ４８３から出力する。ＣＰＵ４１０には、主制御部３００と同様に、外部ＩＣを選択するためのアドレスデコード回路４５０が接続されており、アドレスデコード回路４５０には、主制御部３００からのコマンドを受信するための入力インタフェース４６１、液晶画面制御部５００からの信号を入力するための入力インタフェース４７１、時計ＩＣ４２３、７セグメント表示器４４０への信号を出力するための出力インタフェース４７２等が接続されている。
【００６５】
時計ＩＣ４２３が接続されていることで、ＣＰＵ４１０は、現在時刻を取得することが可能である。７セグメント表示器４４０は、スロットマシン１００の内部に設けられており、たとえば副制御部４００に設定された所定の情報を店の係員等が確認できるようになっている。更に、出力インタフェース４７０には、デマルチプレクサ４１９が接続されている。デマルチプレクサ４１９は、出力インタフェース４７０から送信された信号を演出用ランプ４９０（具体的には、上部ランプ１９０、サイドランプ１５１及び１５２、中央ランプ１５３及び１５４、腰部ランプ１５５及び１５６、下部ランプ１５７及び１５８等）に送信する。なお、ＣＰＵ４１０は、液晶画面制御部５００への信号送信は、デマルチプレクサ４１９を介して実施する。液晶画面制御部５００は、図１のドットマトリクスＬＥＤ表示装置１８０の液晶画像を制御する制御部である。
【００６６】
＜遊技の基本的制御＞
図５は、本実施形態のスロットマシン１００における遊技の基本的制御を示すフローチャートである。遊技の基本的制御は、主制御部３００のＣＰＵ３１０が中心になって行い、電源断等を検知しないかぎり、同図の遊技処理を繰り返し実行する。
【００６７】
ステップＳ１０１では、メダル投入処理として、メダルの投入数に応じた入賞ライン表示ランプの点灯等を行う。本実施形態においてメダルの投入（遊技媒体の投入）とは、ベットボタンによる投入とメダル投入口からの投入のいずれも含む意味である。
【００６８】
ステップＳ１０２では、遊技のスタート操作に関する処理を行う。スタートレバー１３５が操作された場合、投入されたメダル枚数を確定して、有効な入賞ライン１１４を確定する。
【００６９】
ステップＳ１０３では、乱数発生回路３１７で発生させた乱数を取得する。
【００７０】
ステップＳ１０４では、ＲＯＭ３１２に格納されている抽選データテーブルと、ステップＳ１０３で取得した乱数値を用いて、入賞役の内部当選の当否を定める内部抽選を行う。なお、抽選データテーブルには、あらかじめ、ＢＢ、ＲＢ、小役等の抽選確率に応じたデータが格納されている。
【００７１】
ステップＳ１０５では、ステップＳ１０３で取得した乱数値を用いて、リール停止制御テーブルを選択し、リール１１０乃至１１２の回転を開始させる。
【００７２】
ステップＳ１０６では、ストップボタンの受け付けが可能になり、いずれかのストップボタンが押されると、押されたストップボタンに対応するリールを、ステップＳ１０５で選択したリール停止制御テーブルに基づいて停止させる。
【００７３】
ステップＳ１０７では、入賞判定を行う。ここでは、有効化された入賞ライン１１４上に、入賞役に対応する絵柄組み合せが表示された場合にその入賞役に入賞したと判定する。例えば、有効化された入賞ライン１１４上に、例えば「ベル−ベル−ベル」が揃っていたならばベル入賞と判定する。また、例えば「青７−青７−青７」が揃っていたならばＢＢ入賞と判定する。
【００７４】
ステップＳ１０８では、払い出しのある何らかの入賞役に入賞していれば、その入賞役に対応する枚数のメダルを払い出す。
【００７５】
ステップＳ１０９では、遊技状態を制御する。例えば、ＢＢ入賞時には、次の遊技からＢＢゲームが開始されるように準備をし、ＢＢ終了時には、次の遊技から通常の遊技が開始されるように準備させる。
【００７６】
＜基板収納ケース＞
次に、本実施形態のスロットマシン１００の基板収納ケース５００について詳細に説明する。
【００７７】
図６（ａ）及び図６（ｂ）は、スロットマシン１００のキャビネット２１０内に設けられた基板収納ケース５００の外観斜視図及び正面図であり、図６（ｃ）は、図６（ｂ）に示す基板収納ケース５００のＢ方向の断面図である。
【００７８】
基板収納ケース５００は、前面カバー５０１、背面カバー５０２、主制御基板５０３、及び後述する溶解接合体５０４で構成されている。基板収納ケース５００は、本実施形態では透光性樹脂を用いて成型されている。このため基板収納ケース５００の外部から内部に収納されている主制御基板５０３が視認可能になっている。
【００７９】
前面カバー５０１と背面カバー５０２とは、組み合せることによって主制御基板５０３ を収納するための空間を形成する箱体となっている。そして、前面カバー５０１及び背面カバー５０２の内側の外周にはそれぞれ、棒状の溶解接合体５０４を配置するための溝５５０（断面が半円）が設けられている。このため、溶解接合体５０４を溝５５０に配置後、前面カバー５０１及び背面カバー５０２を組み合わせて、溶解接合体５０４を溶解させると、前面カバー５０１及び背面カバー５０２は一体として接合されるようになっている。尚、図６（ｃ）においては、溝５５０は、前面カバー５０１及び背面カバー５０２の双方に設けられているが、前面カバー５０１及び背面カバー５０２のいずれか一方だけに設けられていてもよいものである。また、溝５５０の断面形状も、図６（ｃ）に示すような円に限定されず、溶解接合体５０４の断面形状に合わせて、溶解接合体５０４が前面カバー５０１及び背面カバー５０２と配置一体化できる空間が形成されていれば、どのような形状であってもよい。
【００８０】
具体的には、溶解接合体５０４の一部は、電熱線５０６を熱可塑性樹脂５０５の内部に埋設しており、電熱線５０６に通電することにより、電熱線５０６が発熱し、これにより、熱可塑性樹脂５０６が溶解して、前面カバー５０１と背面カバー５０２とが接着固定されるものである。
【００８１】
次に、本実施形態の基板収納ケース５００の分解斜視図である図７を用いて、基板収納ケース５００の各構成を説明する。
【００８２】
前面カバー５０１には、主制御基板５０３のコネクタ部５３１と接続するための孔部５１０が複数（具体的には、３箇所）設けられている。孔部５１０から接続コネクタを主制御基板５０３に接続し、主制御基板５０３と外部機器との接続を図っている。また、通気孔５１１が複数設けられており、主制御基板５０３で発生した熱を外部に放出するようになっている。ヒューズ確認窓５１２は、溶解接合体５０４のヒューズ５０７を外部から確認できるように設けられた窓である。
【００８３】
背面カバー５０２には、溶解接合体５０４の電源接続端子５０８が後述する電気供給装置５６０と接合するための電源孔部５２１が設けられている。
【００８４】
また、前面カバー５０１及び背面カバー５０２の内側にはそれぞれ、図６（ｃ）に示したように、外周に沿って溝５５０が設けられており、これにより、溝５５０と同径に形成された溶解接合体５０４を配置することができるようになっている。
【００８５】
さらに、前面カバー５０１及び背面カバー５０２の内側には、主制御基板５０３を位置決めするための位置決めピン５２０が複数（具体的には、６箇所）設けられ、主制御基板５０３に設けられた位置決め孔５３２に挿通されることにより位置決めされ、固定されるようになっている。
【００８６】
主制御基板５０３は、主制御部３００を構成する回路基板５３０上に電子部品を実装して構成されている。回路基板５３０には、基板収納ケース５００内部の所定の位置に固定されるように、位置決め孔５３２が複数（具体的には、６箇所）設けられているとともに、回路基板５３０には、外部機器との接続のためのコネクタ部５３１が複数（具体的には、３箇所）設けられている。
【００８７】
溶解接合体５０４は、正確には、内部に電熱線５０６を含んだ熱可塑性樹脂５０５、電熱線５０６と接続されたヒューズ５０７、及び電源接続端子５０８を備えており、溝５５０に配置可能となるように矩形状に形成されている。そして、電気供給装置５６０から電源接続端子５０８を介して通電されると、上述したように電熱線５０６の発熱により、熱可塑性樹脂５０５は溶解して、前面カバー５０１と背面カバー５０２は接着固定されるとともに、さらに電流を流し続けると、ヒューズ５０７の可溶体が溶断して、回路を遮断するようになっている。即ち、一度、溶解接合体５０４が溶けて基板収納ケース５００が一体化されると、ヒューズ５０７の回路遮断機能により、再び、溶解接合体５０４に電流が流れることがないので、再度、同様の方法により通電したとしても、基板収納ケース５００を開封することはできない。
【００８８】
尚、本実施形態においては、電熱線５０６としてニクロム線を用いるが、電熱線５０６はこれに限定されるものではなく、タングステン線等であってもよく、その他、電流が流れると熱を発生する金属であれば何であってもよい。
【００８９】
また、本実施形態においては、熱可塑性樹脂５０５として、融点が高いポリエチレンが好適であるが、熱可塑性樹脂５０５はこれに限定されず、ポリプロピレン、塩化ビニル、ポリカーボネート、ポリアミド、ナイロン、ＡＢＳ等に添加剤を混合したものであってもよい。本実施形態において他の熱可塑性樹脂に比べて融点が高いポリエチレンを選択したのは、不正防止の観点によるものであり、基板収納ケース５００の外部から再加熱開封しようと試みた場合に、主制御基板５０３に実装された電子部品に何ら影響を及ぼすことのない温度で容易に開封されることがなく、また、開封までにある程度の時間を要するようにする等を配慮したためである。
【００９０】
また、本実施形態のヒューズ５０７は、過電流が流れたときに自己発熱して溶断し、回路を遮断する保護装置としての電流ヒューズであれば何であってもよいが、熱可塑性樹脂５０５の融点より高い温度で溶断することが望ましい。これは、熱可塑性樹脂５０５が溶けて、基板収納ケース５００を接着した後に、回路を遮断させるためである。
【００９１】
また、本実施形態においては、電源接続端子５０８の材質として、二酸化ケイ素を用いているが、外部機器との接続端子としての機能を有するのであれば、その他の金属であってもよい。
【００９２】
さらに、本実施形態においては、図８（ａ）に示すように、熱可塑性樹脂５０５の中に電熱線５０６を埋め込む構成としたが、溶解接合体５０４としてはこの構成に限定されるものではなく、電熱線５０６の発熱が熱可塑性樹脂５０５に伝わるような構成であれば何であってもよく、例えば、図８（ｂ）に示すように、熱可塑性樹脂５０５と電熱線５０６が隣接するような構成にしてもよい。また、溶解接合体５０４としては、電熱線５０６を用いなくてもよく、例えば、熱可塑性樹脂５０５の中に導電性の粒子を混入させるようにして、熱可塑性樹脂５０５と、通電して発熱する物質を混在一体化としたような構成とし、溶解接合体５０４自体が、電流が流れることにより発熱し、該発熱によって溶解し、前面カバー５０１及び背面カバー５０２を接着させるものであってもよい。
【００９３】
次に、本実施形態のスロットマシン１００の基板収納ケース５００の組み立て方法について説明する。
【００９４】
図９は、基板収納ケース５００を組み立てる際に用いられる電気供給装置５６０の外観斜視図である。電気供給装置５６０は、基板収納ケース５００を内接可能とする収容孔を設けた固定台５６１、基板収納ケース５００の電源接続端子５０８と接続可能な接続端子部５６３、及び接続端子部５６３を介して基板収納ケース５００に電気を供給する電気供給部５６２を具備する構成となっている。
【００９５】
基板収納ケース５００を組み立てる際は、まず、前面カバー５０１及び背面カバー５０２の中に主制御基板５０３及び溶解接合体５０４を配置し、前面カバー５０１と背面カバー５０２を組み合わせた状態で、基板収納ケース５００全体を固定台５６１の収容孔に配置固定する。
【００９６】
次に、基板収納ケース５００の配置固定により、基板収納ケース５００の電源接続端子５０８と電気供給装置５６０の接続端子部５６３が接続されるので、これを契機に電気供給装置５６０の電気供給部５６２から基板収納ケース５００に対して通電が行われる。尚、通電は、接続を契機に自動的に行われるようになっているが、手動により通電するようにしてもよい。
【００９７】
この結果、基板収納ケース５００の溶解接合体５０４においては、熱可塑性樹脂５０５が溶解し、前面カバー５０１及び背面カバー５０２が接着される。さらに、通電が続くと、ヒューズ５０７の溶断が発生するので、基板収納ケース５００には、これ以上電流は流れない。以上の工程により、基板収納ケース５００が組み立てられる。
【００９８】
尚、電気供給部５６２にタイマー機能を具備させ、通電後、一定の時間が経過すると、アラーム音又はアラーム表示を出力し、これにより、組み立て処理の終了を作業者に報知するようにしてもよい。また、作業時間が気温差等によって左右されないよう、通電量を調整できるような調整機能を具備させてもよい。
【００９９】
従って、本実施形態によれば、基板収納ケース５００の前面カバー５０１及び背面カバー５０２の接合部に溶解接合体５０４を配置し、溶解接合体５０４に通電して熱を発生させて、溶解接合体５０４を溶解させ、前面カバー５０１及び背面カバー５０２を接着固定することにより、基板収納ケース５００を組み立てるので、人的に依存する工程が少なく、基板収納ケース５００の組み立て作業を効率よく行うことができ、量産性に優れるという効果を得ることができる。
【０１００】
＜その他の実施の形態＞
以上、本発明の実施の形態について説明してきたが、本発明の要旨を逸脱しない範囲において、本発明の実施の形態に対して種々の変形や変更を施すことができる。例えば、溶解接合体５０４の熱可塑性樹脂５０５及び電熱線５０６の配置形態においては、種々の変形が可能である。
【０１０１】
図１０は、溶解接合体５０４の配置形態の変形例１を示している。上記実施形態の溶解接合体５０４は、熱可塑性樹脂５０５、電熱線５０６、ヒューズ５０７及び電源接続端子５０８が物理的に一体となっていたが、変形例１の溶解接合体５０４においては、熱可塑性樹脂５０５と電熱線５０６は物理的に一体となっていない。即ち、図１０（ａ）に示すように、背面カバー５０２の溝５５０には、予め電熱線５０６及びヒューズ５０７が備え付けられており（図示しないが、電源接続端子５０８も背面カバー５０２に備え付けられている）、この溝５５０の上に、図１０（ｂ）に示すような熱可塑性樹脂５０５を配置するものである。図１０（ｃ）は、図１０（ｂ）に示す熱可塑性樹脂５０５のＡ方向の断面図であるが、熱可塑性樹脂５０５だけから構成されていることを示している。このように変形例１においても、電熱線５０６に通電があると、電熱線５０６と熱可塑性樹脂５０５は接しているので、電熱線５０６の発熱により、熱可塑性樹脂５０５は溶解し、前面カバー５０１と背面カバー５０２は接着固定するようになっている。
【０１０２】
尚、変形例１においては、背面カバー５０２の溝５５０に予め電熱線５０６及びヒューズ５０７を備え付けるようにしていたが、前面カバー５０１に溝５５０を設け、この溝５５０に予め電熱線５０６及びヒューズ５０７を備え付けるようにしてもよい。
【０１０３】
また、溶解接合体５０４の配置形態の変形例２としては、図１１（ａ）に示すように、背面ケース５０２に熱可塑性樹脂５０５で形成された溝５５０を予め備え付けてもよく、この場合には、変形例１とは逆に、図１１（ｂ）に示す電熱線５０６（電熱線５０６に電源接続端子５０８も備え付けられている）、及びヒューズ５０７（図１１（ａ）に示すように、ヒューズ５０７を格納する凹部も背面カバー５０２に予め設けられている）をこの溝５５０の上に配置するものである。変形例２においても、電熱線５０６に通電があると、電熱線５０６と熱可塑性樹脂５０５は接しているので、電熱線５０６の発熱により、熱可塑性樹脂５０５は溶解し、前面カバー５０１と背面カバー５０２は接着固定されるようになっている。
【０１０４】
尚、変形例２においても、背面カバー５０２ではなく、前面カバー５０１に熱可塑性樹脂５０５で形成された溝５５０を予め設けるようにしてもよい。
【０１０５】
また、溶解接合体５０４の配置形態の変形例３としては、基板収納ケース５００の周囲全体を熱可塑性樹脂５０５で接着するのではなく、図１２（ａ）に示すように、基板収納ケース５００の周囲の一部を接着するようにしてもよい。ここで、図１２（ａ）においては、基板収納ケース５００の外周のうち、２辺が接着固定されるようになっている。
【０１０６】
また、図１２（ａ）に示すように、ヒューズ５０７及び電源接続端子５０８を複数設けるようにしてもよい。電源接続端子５０８が複数ある場合には、電熱線５０６が加熱する時間を短縮することができる。
【０１０７】
また、溶解接合体５０４の配置形態の変形例４としては、ヒューズ５０７を用いずに、通電すると発熱を伴うとともに、自己の発熱により、溶断する金属を電熱線５０６’として用いてもよい。図１２（ｂ）は、この一例を示すものであるが、溶解接合体５０４に通電すると、熱可塑性樹脂５０５が配置された一辺は、溶解して、前面カバー５０１と背面カバー５０２が接着するが、電熱線５０６’が配置された一辺は、上記接着後、自己の発熱により、溶断するので、ヒューズ５０７を用いる場合と同一の機能を有するものである。尚、電熱線５０６’の溶断する温度は、熱可塑性樹脂５０５の融点より高いものである。
【０１０８】
さらには、溶解接合体５０４の配置形態の変形例５としては、図１２（ｃ）に示すように、背面カバー５０２の周囲に２重に溝５５０Ａ及び５５０Ｂを設け、２つの溶解接合体５０４Ａ及び５０４Ｂを溝５５０Ａ及び５５０Ｂの上にそれぞれ配置するようにしてもよい。この場合においては、一度、基板収納ケース５００を外側の溶解接合体５０４Ｂにより接着固定した後、検査等により基板収納ケース５００を開封する（例えば、ドライバー等でこじ開ける）ことがあったとしても、さらに内側の溶解接合体５０４Ａを用いれば、再度、基板収納ケース５００を接着固定することができる。
【０１０９】
尚、図１２（ｃ）においては、溶解接合体５０４を２つ配置するようにしたが、３つ以上の溶解接合体５０４を配置するようにしてもよいものである。また、他の変形例と同様、背面カバー５０２でなく、前面カバー５０１に同様の溝５５０Ａ及び５５０Ｂを設けてもよい。さらには、図１２（ｃ）においては、基板収納ケース５００の外周の内側と外側というように溶解接合体５０４を２重化したが、多重化のバリエーションはこれに限定されず、例えば、溶解接合体５０４で構成された四辺形を複数の箇所に区分けして、各箇所ごとに溶解可能とするような多重化構成も可能である。このように、変形例５は、複数回の接着固定に対応可能な構成となっている。
【０１１０】
また、上記実施形態及び上記変形例においては、１色の熱可塑性樹脂５０５を用いたが、複数の色を備えた熱可塑性樹脂５０５を採用してもよく、これにより、溶解すると複数の色が混ざり合うので、確実に基板収納ケース５００を接着した履歴を残すことができる。例えば、図１０（ｄ）に示すように、上述した変形例１において、例えば、赤色及び白色の熱可塑性樹脂５０５ａ及び５０５ｂを用いると、溶解後は、赤色及び白色の二色が混ざり合った色となって固着するので、接着作業の有無を把握することが容易となる。
【０１１１】
さらには、上記実施形態及び上記変形例においては、基板収納ケース５００は、主制御基板５０３に対して適用したが、本発明はこれに限定されず、副主制御基板２７０に対して適用してもよいものである。
【図面の簡単な説明】
【０１１２】
【図１】本発明の一実施の形態に係るスロットマシン１００の外観を示す斜視図である。
【図２】本発明の一実施の形態に係るスロットマシン１００の内部構成を示す図である。
【図３】スロットマシン１００の主制御部３００を示すブロック図である。
【図４】スロットマシン１００の副制御部４００を示すブロック図である。
【図５】スロットマシン１００の主制御処理を示すフローチャートである。
【図６】スロットマシン１００の基盤収納ケース５００を説明する図である。
【図７】スロットマシン１００の基盤収納ケース５００の分解斜視図である。
【図８】基盤収納ケース５００を構成する溶解接続体５０４の断面図の一例である。
【図９】基盤収納ケース５００に電気を供給する電気供給装置の外観を示す斜視図である。
【図１０】基盤収納ケース５００を構成する溶解接合体５０４の他の配置例を説明する図である。
【図１１】基盤収納ケース５００を構成する溶解接合体５０４の他の配置例を説明するである。
【図１２】基盤収納ケース５００を構成する溶解接合体５０４の他の配置例を説明するである。
【図１】
2006167339.tif 000003
【図２】
2006167339.tif 000004
【図３】
2006167339.tif 000005
【図４】
2006167339.tif 000006
【図５】
2006167339.tif 000007
【図６】
2006167339.tif 000008
【図７】
2006167339.tif 000009
【図８】
2006167339.tif 000010
【図９】
2006167339.tif 000011
【図１０】
2006167339.tif 000012
【図１１】
2006167339.tif 000013
【図１２】
2006167339.tif 000014
【手続補正書】
【提出日】平成16年12月27日(2004.12.27)
【手続補正１】
【補正対象書類名】特許請求の範囲
【補正対象項目名】請求項１１
【補正方法】変更
【補正の内容】
【請求項１１】
複数種類の絵柄が施され、回転可能な複数のリールと、
前記複数のリールの回転を開始させるスタートスイッチと、
前記複数のリールそれぞれに対応して設けられ、前記複数のリールの回転を個別に停止する停止スイッチと、
予め定められた複数種類の入賞役の内部当選の当否を抽選により判定する抽選手段と、
停止時の前記複数のリールにより表示された絵柄の組み合わせが、内部当選した入賞役であるか否かに基づいて入賞を判定する判定手段と、
を有する遊技台において、
前記遊技台の基板収納ケースは、内部空間に電子部品を実装した基板を収納し、第１のカバー部材と第２のカバー部材とに分離可能に構成されており、
前記第１のカバー部材と前記第２のカバー部材の接合部は、
電流が流れることにより、熱を発生させる電熱発生手段と、
前記電熱発生手段の発熱により溶解し、前記第１のカバー部材と第２のカバー部材を接着固定する接着固定手段と、
を備えることを特徴とする遊技台。
【手続補正３】
【補正対象書類名】明細書
【補正対象項目名】０００３
【補正方法】変更
【補正の内容】
【０００３】
一般に、遊技台の基板収納ケースは、遊技台側に取り付けられるベースと、ベースに取り付けられるカバーとで構成され、遊技台の制御基板は、ベース及びカバーの間に形成される空間内に収納されるようになっている。例えば、下記の特許文献１には、カバー側から差し込まれ、ベースに爪を係合させることでベースからカバーが分離されることを防止する封印部材と、ベース側から差し込まれ、封印部材の爪に当接することにより爪を変形させることでベースに対する係合を強化する封印補強部材とを備え、制御基板を封印する基板収納ケースが開示されている。
【手続補正４】
【補正対象書類名】明細書
【補正対象項目名】００２３
【補正方法】変更
【補正の内容】
【００２３】
本発明に係る遊技台は、複数種類の絵柄が施され、回転可能な複数のリールと、前記複数のリールの回転を開始させるスタートスイッチと、前記複数のリールそれぞれに対応して設けられ、前記複数のリールの回転を個別に停止する停止スイッチと、予め定められた複数種類の入賞役の内部当選の当否を抽選により判定する抽選手段と、停止時の前記複数のリールにより表示された絵柄の組み合わせが、内部当選した入賞役であるか否かに基づいて入賞を判定する判定手段と、を有する遊技台において、前記遊技台の基板収納ケースは、内部空間に電子部品を実装した基板を収納し、第１のカバー部材と第２のカバー部材とに分離可能に構成されており、前記第１のカバー部材と前記第２のカバー部材の接合部は、電流が流れることにより、熱を発生させる電熱発生手段と、前記電熱発生手段の発熱により溶解し、前記第１のカバー部材と第２のカバー部材を接着固定する接着固定手段と、を備えることを特徴とする。